(57)【特許請求の範囲】
【請求項１】
ユーザー操作を受け付ける操作パネルと、
印刷を実行する印刷装置と、
第１ジョブ種別グループに属するジョブ種別および第２ジョブ種別グループに属するジョブ種別を示すジョブ分類データを記憶している記憶装置と、
実行ジョブのジョブ種別および実行開始時間をジョブログとして記録するジョブ管理部と、
所定の時間帯について、（ａ）過去の同一の時間帯に前記実行開始時間が属する前記ジョブログを特定し、（ｂ１）特定した前記ジョブログの前記ジョブ種別が前記第１ジョブ種別グループまたは前記第２ジョブ種別グループに属している前記実行ジョブの数に対する、特定した前記ジョブログの前記ジョブ種別が前記第１ジョブ種別グループに属している前記実行ジョブの数の割合が所定の閾値を超えている場合には、前記所定の時間帯についての省電力モードを第１省電力モードに設定し、（ｂ２）前記割合が前記所定の閾値以下である場合には、前記所定の時間帯についての省電力モードを第２省電力モードに設定する省電力モード設定部と、
動作モードを通常モードから省電力モードへ移行させるときに、前記省電力モード設定部により設定された前記第１省電力モードまたは前記第２省電力モードへ移行させる動作モード制御部と、
を備え、
前記第１ジョブ種別グループに属するジョブ種別は、前記操作パネルに対するユーザー操作が必要なジョブ種別であり、
前記第２ジョブ種別グループに属するジョブ種別は、前記操作パネルに対するユーザー操作が不要なジョブ種別であること、
を特徴とする画像形成装置。
【請求項２】
前記第１省電力モードは、前記操作パネルへの電力供給を停止し、前記印刷装置への電力供給を継続し、
前記第２省電力モードは、前記操作パネルおよび前記印刷装置への電力供給を停止すること、
を特徴とする請求項１記載の画像形成装置。
【請求項３】
前記記憶装置は、前記閾値を示す閾値データを記憶しており、
前記省電力モード設定部は、前記閾値データを読み出して前記閾値を特定して使用し、
前記閾値データは、前記操作パネルに対するユーザー操作に応じて編集可能であること、
を特徴とする請求項１または請求項２記載の画像形成装置。
【請求項４】
前記ジョブ分類データは、前記操作パネルに対するユーザー操作に応じて編集可能であることを特徴とする請求項１から請求項３のうちのいずれか１項記載の画像形成装置。
【発明の詳細な説明】
【技術分野】
【０００１】
本発明は、画像形成装置に関するものである。
【背景技術】
【０００２】
ある省電力制御装置では、操作時刻の履歴から、省電力モードへ移行させる基準経過時間を自動制御している（例えば特許文献１参照）。
【０００３】
また、ある印刷装置では、時間帯ごとに印刷回数を特定し、印刷回数に基づき、省電力モードへ移行させる経過時間を設定している（例えば特許文献２参照）。
【先行技術文献】
【特許文献】
【０００４】
【特許文献１】特開２００４−６２４０５号公報
【特許文献２】特開２００７−３０３２５号公報
【発明の概要】
【発明が解決しようとする課題】
【０００５】
省電力モードとしては、操作パネルへの電力供給の停止のみを行って、内部装置については通常モードと同様の状態に維持する低電力モードと、操作パネルへの電力供給の停止とともに、特定の部分（通常モードへの復帰の要因となるイベントの発生を検出する部分）を除く内部装置についても電力供給を停止するスリープモードとが考えられる。
【０００６】
低電力モードは、スリープモードに比べ、消費電力は大きくなるが、通常モードへ短時間で復帰できる。
【０００７】
このように、省電力モードとしては、複数のモードが考えられるが、上述の装置では、省電力モードとして適切なモードが適用されない可能性がある。
【０００８】
例えば、操作パネルに対するユーザー操作が必要なコピー印刷が多く行われる時間帯においては、省電力モードとしては低電力モードが好ましく、スリープモードであると、操作パネルを操作中のユーザーの待ち時間（コピー印刷を実行開始するまでの待ち時間）が長くなってしまう。
【０００９】
本発明は、上記の問題に鑑みてなされたものであり、複数のモードから省電力モードとして適切なモードを時間帯ごとに適用する画像形成装置を得ることを目的とする。
【課題を解決するための手段】
【００１０】
本発明に係る画像形成装置は、ユーザー操作を受け付ける操作パネルと、印刷を実行する印刷装置と、１ジョブ種別グループに属するジョブ種別および第２ジョブ種別グループに属するジョブ種別を示すジョブ分類データを記憶している記憶装置と、実行ジョブのジョブ種別および実行開始時間をジョブログとして記録するジョブ管理部と、所定の時間帯について、（ａ）過去の同一の時間帯に前記実行開始時間が属する前記ジョブログを特定し、（ｂ１）特定した前記ジョブログの前記ジョブ種別が前記第１ジョブ種別グループまたは前記第２ジョブ種別グループに属している前記実行ジョブの数に対する、特定した前記ジョブログの前記ジョブ種別が前記第１ジョブ種別グループに属している前記実行ジョブの数の割合が所定の閾値を超えている場合には、前記所定の時間帯についての省電力モードを第１省電力モードに設定し、（ｂ２）前記割合が前記所定の閾値以下である場合には、前記所定の時間帯についての省電力モードを第２省電力モードに設定する省電力モード設定部と、動作モードを通常モードから省電力モードへ移行させるときに、前記省電力モード設定部により設定された前記第１省電力モードまたは前記第２省電力モードへ移行させる動作モード制御部とを備える。前記第１ジョブ種別グループに属するジョブ種別は、前記操作パネルに対するユーザー操作が必要なジョブ種別であり、前記第２ジョブ種別グループに属するジョブ種別は、前記操作パネルに対するユーザー操作が不要なジョブ種別である。
【発明の効果】
【００１１】
本発明によれば、画像形成装置において、時間帯ごとに、複数のモードから省電力モードとして適切なモードが適用される。
【図面の簡単な説明】
【００１２】
【図１】図１は、本発明の実施の形態に係る画像形成装置の構成を示すブロック図である。
【図２】図２は、図１におけるジョブ分類データ４１の一例を示す図である。
【図３】図３は、図１に示す画像形成装置における省電力モード設定部３２の動作を説明するフローチャートである。
【図４】図４は、ユーザー編集後のジョブ分類データ４１の一例を示す図である。
【発明を実施するための形態】
【００１３】
以下、図に基づいて本発明の実施の形態を説明する。
【００１４】
図１は、本発明の実施の形態に係る画像形成装置の構成を示すブロック図である。
【００１５】
図１に示す画像形成装置は、印刷機能、画像読取機能、およびファクシミリ機能を有する複合機である。この画像形成装置は、操作パネル１１、通信装置２１、印刷装置２２、画像読取装置２３、ファクシミリ装置２４、記憶装置２５、およびコントローラー２６を備える。
【００１６】
操作パネル１１は、液晶ディスプレイなどの表示装置１１ａ、およびタッチパネルなどの入力装置１１ｂを備え、ユーザーに対する操作画面の表示およびユーザーの入力操作の検出を行う。
【００１７】
また、通信装置２１は、ネットワークなどを介して図示せぬホスト装置に接続可能であって、所定の通信プロトコルでデータ通信を行う装置である。例えば、通信装置２１は、プリンター印刷ジョブのためのデータをホスト装置から受信する。
【００１８】
また、印刷装置２２は、例えば電子写真方式で原稿画像を印刷用紙に印刷する内部デバイスである。
【００１９】
また、画像読取装置２３は、原稿から原稿画像を光学的に読み取り、原稿画像の画像データを生成する内部デバイスである。
【００２０】
また、ファクシミリ装置２４は、ファクシミリ信号を受信しそのファクシミリ信号を画像データに変換する受信機能と、画像データをファクシミリ信号に変換しそのファクシミリ信号を送信する送信機能とを有する内部デバイスである。
【００２１】
また、記憶装置２５は、ハードディスクドライブ、フラッシュメモリーなどの不揮発性の記憶装置であって、データ、プログラムなどを記憶する。記憶装置２５は、ジョブ分類データ４１および閾値データ４２を記憶している。
【００２２】
ジョブ分類データ４１は、低電力モード指定ジョブ種別（第１ジョブ種別グループ）に属するジョブ種別およびスリープモード指定ジョブ種別（第２ジョブ種別グループ）に属するジョブ種別を示すデータである。閾値データ４２は、後述の閾値を示すデータである。
【００２３】
また、コントローラー２６は、図示せぬＣＰＵ（Central Processing Unit）、ＲＯＭ（Read Only Memory）、ＲＡＭ（Random Access Memory）などを有するコンピューターを有し、ＲＯＭまたは記憶装置２５に記憶されているプログラムをＲＡＭへロードし、そのプログラムをＣＰＵで実行することにより、各種処理部として動作する。
【００２４】
この実施の形態では、コントローラー２６は、ジョブ管理部３１、省電力モード設定部３２、および動作モード制御部３３として動作する。
【００２５】
ジョブ管理部３１は、ホスト装置から受信されるデータまたは操作パネル１１へのユーザー操作に従って、通信装置２１、印刷装置２２、画像読取装置２３、ファクシミリ装置２４、記憶装置２５などの内部装置を使用して各種ジョブを実行し、実行したジョブのジョブ種別および実行開始時間を示すジョブログ４３を記憶装置２５に記録していく。
【００２６】
省電力モード設定部３２は、所定の時間帯について、（ａ）過去の同一の時間帯に実行開始時間が属するジョブログ４３を特定し、（ｂ１）特定したジョブログ４３のジョブ種別が低電力モード指定ジョブ種別またはスリープモード指定ジョブ種別に属しているジョブの数に対する、特定したジョブログ４３のジョブ種別が低電力モード指定ジョブ種別に属しているジョブの数の割合が所定の閾値を超えている場合には、その所定の時間帯についての省電力モードを、低電力モード（第１省電力モード）に設定し、（ｂ２）その割合がその閾値以下である場合には、その所定の時間帯についての省電力モードを、スリープモード（第２省電力モード）に設定する。
【００２７】
低電力モードでは、操作パネル１１への電力供給が停止され印刷装置２２などの内部装置への電力供給は継続される。また、スリープモードでは、操作パネル１１および印刷装置２２などの内部装置への電力供給が停止される。いずれのモードにおいても、通常モードへ復帰させるイベントの待ち受けのための部分への電力供給は継続される。
【００２８】
なお、省電力モード設定部３２は、ジョブ分類データ４１に基づいて、低電力モード指定ジョブ種別に属するジョブ種別およびスリープモード指定ジョブ種別に属するジョブ種別を特定し、閾値データ４２に基づいて、上述の閾値を特定する。
【００２９】
動作モード制御部３３は、上述の所定の時間帯において、当該画像形成装置の動作モードを通常モードから省電力モードへ移行させるときに、省電力モード設定部３２により設定された低電力モードまたはスリープモードへ移行させる。
【００３０】
ここで、低電力モード指定ジョブ種別に属するジョブ種別は、操作パネルに対するユーザー操作が必要なジョブ種別であり、スリープモード指定ジョブ種別に属するジョブ種別は、操作パネルに対するユーザー操作が不要なジョブ種別である。
【００３１】
図２は、図１におけるジョブ分類データ４１の一例を示す図である。
【００３２】
例えば図２に示すように、操作パネル１１に対するユーザー操作が必要なジョブ種別として、コピー印刷ジョブ、ホスト送信（スキャントゥセンド）ジョブ、ファクシミリ送信ジョブ、および文書ボックス内の書類を印刷するボックス印刷ジョブが、低電力モード指定ジョブ種別に指定される。また、操作パネル１１に対するユーザー操作が不要なジョブ種別として、ホスト装置からのデータに基づいて印刷を行うプリンター印刷ジョブ、ホスト装置からのデータに基づいて生成されるジョブデータを文書ボックスに保存するボックス保存、およびファクシミリ受信が、スリープモード指定ジョブ種別に指定される。
【００３３】
次に、上記画像形成装置の動作について説明する。
【００３４】
この実施の形態では、ジョブ実行ごとに、ジョブ管理部３１が、ジョブログ４３を記録するとともに、動作モード制御部３３が、画像形成装置の状態に応じて、動作モードを通常モードと省電力モードとの間で移行させる。そして、所定のタイミングにおいて、省電力モード設定部３２が、所定の時間帯について使用される省電力モードを、低電力モードとスリープモードから選択する。
【００３５】
ここで、省電力モード設定部３２の動作について説明する。図３は、図１に示す画像形成装置における省電力モード設定部３２の動作を説明するフローチャートである。
【００３６】
省電力モード設定部３２は、所定のタイマー設定タイミングを検出すると（ステップＳ１）、所定の時間帯についての省電力モードを設定する（ステップＳ２〜Ｓ５）。
【００３７】
例えば、タイマー設定タイミングが、１週間の開始時点に設定されている場合、その時点から１週間を、所定長さ（例えば３０分）の時間帯に分割し、その各時間帯に対してステップＳ２〜Ｓ５の処理で省電力モードを設定する。
【００３８】
また、タイマー設定タイミングが、１日の開始時点に設定されている場合、その時点から１日を、所定長さ（例えば３０分）の時間帯に分割し、その各時間帯に対してステップＳ２〜Ｓ５の処理で省電力モードを設定する。
【００３９】
省電力モード設定部３２は、注目している時間帯に属する実行開始時刻を有するジョブログ４３をすべて読み出して（ステップＳ２）、読み出したジョブログ４３について、低電力モード指定ジョブ種別のジョブの割合が所定の閾値を超えているか否かを判定する（ステップＳ３）。
【００４０】
そして、その時間帯について、省電力モード設定部３２は、低電力モード指定ジョブ種別のジョブの割合が所定の閾値を超えている場合には、その時間帯の省電力モードとして低電力モードを指定し（ステップＳ４）、そうではない場合には、その時間帯の省電力モードとしてスリープモードを指定する（ステップＳ５）。
【００４１】
このようにして、一定期間（１週間、１日など）内の各時間帯の省電力モードが設定され、設定された省電力モードが動作モード制御部３３によって使用される。
【００４２】
以上のように、上記実施の形態によれば、省電力モード設定部３２は、所定の時間帯について、（ａ）過去の同一の時間帯に実行開始時間が属するジョブログ４３を特定し、（ｂ１）特定したジョブログ４３のジョブ種別が低電力モード指定ジョブ種別またはスリープモード指定ジョブ種別に属しているジョブの数に対する、特定したジョブログ４３のジョブ種別が低電力モード指定ジョブ種別に属しているジョブの数の割合が所定の閾値を超えている場合には、その所定の時間帯についての省電力モードを、低電力モードに設定し、（ｂ２）その割合がその閾値以下である場合には、スリープモードに設定する。
【００４３】
これにより、過去の同一の時間帯に実行されたジョブのジョブ種別に応じて適切な省電力モードが選択されるため、時間帯ごとに、複数のモードから省電力モードとして適切なモードが適用される。
【００４４】
なお、上述の実施の形態は、本発明の好適な例であるが、本発明は、これらに限定されるものではなく、本発明の要旨を逸脱しない範囲において、種々の変形、変更が可能である。
【００４５】
例えば、上記実施の形態において、ジョブ分類データ４１は、操作パネル１１に対するユーザー操作に応じて編集可能としてもよい。その場合、ユーザーは、自己がよく実行するジョブ種別を低電力モード指定ジョブ種別へ変更することができる。図４は、ユーザー編集後のジョブ分類データ４１の一例を示す図である。例えば、ボックス保存自体はユーザー操作を必要としないが、ユーザーによっては、ボックス保存直後にボックス印刷を行うので、例えば図４に示すように、そのようなユーザーは、ボックス保存ジョブを低電力モード指定ジョブ種別に移動させることができる。
【００４６】
また、上記実施の形態において、閾値データ４２は、操作パネル１１に対するユーザー操作に応じて編集可能としてもよい。
【産業上の利用可能性】
【００４７】
本発明は、例えば、操作パネルを有する画像形成装置に適用可能である。
【符号の説明】
【００４８】
１１  操作パネル
２２  印刷装置
２５  記憶装置
３１  ジョブ管理部
３２  省電力モード設定部
３３  動作モード制御部
４１  ジョブ分類データ
４２  閾値データ
４３  ジョブログ
【図１】
0006000238.tif 000002
【図２】
0006000238.tif 000003
【図３】
0006000238.tif 000004
【図４】
0006000238.tif 000005